(57)【要約】      （修正有）【課題】展示形態の方向性に係わらず兼用可能となした表示プレートを使用した表示プレート付きポット収納トレイを提供する。【解決手段】苗ポットＰを収納する複数のポット収納部１ａが整列配設されたポット収納トレイ１と、苗ポットＰにおける植物の種類、用途、性質などの商品情報が表示される表示プレート２と、を備え、ポット収納トレイ１は長方体状に形成され、その長手方向および短手方向には、ポット収納部１ａを区割するための仕切部１ｄが等間隔で形成され、表示プレート２は、シート部材の上方側を表示部となす一方、下方側には仕切部１ｄが差し込まれる複数のスリット２ｂ１が形成され、これらスリット２ｂ１の間隔は、仕切部１ｄの間隔より短い間隔で形成され、ポット収納トレイ１の少なくとも短手方向又は長手方向に並ぶ仕切部１ｄに差し込まれるスリットであることを示す目印３が設けられたことを特徴とする。【選択図】図１
0003146232.tif 000002
【実用新案登録請求の範囲】
【請求項１】
苗ポットを収納する複数のポット収納部が上部枠の内方開口部内で方形格子状の仕切部により区割されて整列配設されたポット収納トレイと、
シート部材となすとともに、そのポット収納部の前記仕切部の複数のものに差し込まれる複数のスリットを備えて、そのポット収納部に着脱可能に装着され、前記苗ポットにおける植物の種類、用途、性質などの商品情報が表示される表示プレートと、を備え、
前記ポット収納トレイは長方体状に形成され、その長手方向および短手方向には、前記ポット収納部を区割するための前記仕切部が等間隔で形成され、
前記表示プレートは、前記ポット収納トレイの長手方向に平行に装着される態様と短手方向に平行に装着される態様とに兼用のものとされ、少なくとも前記短手方向に平行に装着される態様において前記ポット収納トレイに対する適正装着位置が予め定められており、この表示プレートは、前記シート部材の上方側を表示部となす一方、下方側には前記仕切部が差し込まれる前記複数のスリットが形成され、これらスリットの間隔は、前記仕切部の間隔より短い間隔で形成され、これらスリットの一部のスリットには、前記ポット収納トレイの少なくとも短手方向又は長手方向に並ぶ前記仕切部に差し込まれるスリットであることを示す目印が設けられたことを特徴とする表示プレート付きポット収納トレイ。
【請求項２】
前記表示プレートが前記ポット収納トレイの短手方向に平行に装着される態様で、前記ポット収納トレイの前記内方開口部に対して目一杯の横幅寸法を備える表示プレートが装着されることを特徴とする請求項１に記載の表示プレート付きポット収納トレイ。
【請求項３】
前記表示プレートの前記目印は、前記ポット収納トレイの短手方向又は長手方向に並ぶ前記仕切部に差し込まれる全てのスリットに設けられたものであることを特徴とする請求項１又は２に記載の表示プレート付きポット収納トレイ。
【請求項４】
前記表示プレートの前記目印は、前記ポット収納トレイの短手方向又は長手方向に並ぶ前記仕切部の少なくとも一つに差し込まれるスリットに設けられたものであることを特徴とする請求項１又は２に記載の表示プレート付きポット収納トレイ。
【請求項５】
前記表示プレートの前記スリットの間隔は等間隔であることを特徴とする請求項１ないし４のいずれか１項に記載の表示プレート付きポット収納トレイ。
【請求項６】
前記目印は前記スリットの周縁側に縁取られることを特徴とする請求項１ないし５のいずれか１項に記載の表示プレート付きポット収納トレイ。
【請求項７】
前記スリットの周縁側に縁取られる前記目印は、前記表示プレートにおける他の表面色とは異なる色であることを特徴とする請求項６に記載の表示プレート付きポット収納トレイ。
【請求項８】
前記目印は前記スリットの形状の一部を少なくとも変形させたものであることを特徴とする請求項１ないし５のいずれか１項に記載の表示プレート付きポット収納トレイ。
【考案の詳細な説明】
【技術分野】
【０００１】
本考案は、複数の苗ポットを収納する表示プレート付きポット収納トレイに関する。
【背景技術】
【０００２】
従来から植物の苗ポットは、その販売に際してポット収納トレイに収納された状態で店頭に置かれて販売される。この販売時には、苗ポットにおける植物の種類に応じた商品説明と宣伝用を兼ねた表示プレートが取り付けられている（特許文献１参照）。
【０００３】
【特許文献１】実用新案登録第３０５５８９７号公報
【考案の開示】
【考案が解決しようとする課題】
【０００４】
このようなポット収納トレイは概ね標準化されており、例えば、一方である縦の列数を「５列」、他方である横の列数を「８列」とし、４０個の苗ポットを収納する形態のポット収納トレイでは、縦及び横方向の長さが異なる長方体状の形状のものが用いられている。このポット収納トレイは、店頭における展示スペースなどによっては、ポット収納トレイの長手方向を左右にして展示する横方向展示形態、もしくは長手方向を前後にして展示する縦方向展示形態が選択されて展示されることがある。この場合には、かかる展示形態に応じた２種類の表示プレートが製作されて使用されるため、コスト高となったり、表示プレートを余分に常備しなければならなく、これらを解消するための新たな提案が望まれている。
【０００５】
本考案の課題は、展示形態の方向性に係わらず兼用可能となした表示プレートを使用した表示プレート付きポット収納トレイを提供することにある。
【課題を解決するための手段及び考案の効果】
【０００６】
上記課題を解決するために、本考案の表示プレート付きポット収納トレイは、苗ポットを収納する複数のポット収納部が上部枠の内方開口部内で方形格子状の仕切部により区割されて整列配設されたポット収納トレイと、シート部材となすとともに、そのポット収納部の前記仕切部の複数のものに差し込まれる複数のスリットを備えて、そのポット収納部に着脱可能に装着され、前記苗ポットにおける植物の種類、用途、性質などの商品情報が表示される表示プレートと、を備え、前記ポット収納トレイは長方体状に形成され、その長手方向および短手方向には、前記ポット収納部を区割するための前記仕切部が等間隔で形成され、前記表示プレートは、前記ポット収納トレイの長手方向に平行に装着される態様と短手方向に平行に装着される態様とに兼用のものとされ、少なくとも前記短手方向に平行に装着される態様において前記ポット収納トレイに対する適正装着位置が予め定められており、この表示プレートは、前記シート部材の上方側を表示部となす一方、下方側には前記仕切部が差し込まれる前記複数のスリットが形成され、これらスリットの間隔は、前記仕切部の間隔より短い間隔で形成され、これらスリットの一部のスリットには、前記ポット収納トレイの少なくとも短手方向又は長手方向に並ぶ前記仕切部に差し込まれるスリットであることを示す目印が設けられたことを特徴とする。
【０００７】
上記構成とすることにより、単一種の表示プレートであっても、その目印によって視覚情報が増えるため、ポット収納トレイの長手方向の仕切部又は短手方向の仕切部に対応するスリットの識別が容易にできるので、その展示方向にとらわれることなく、確実に当該展示方向に適した位置に表示プレートを取り付けられる。この結果、２種類の表示プレートを揃えない、コストを安価となした展示形態を採用できる効果を奏する。
【０００８】
また、上記課題を解決するために、本考案の表示プレート付きポット収納トレイの前記表示プレートが前記ポット収納トレイの短手方向に平行に装着される態様で、前記ポット収納トレイの前記内方開口部に対して目一杯の横幅寸法を備える表示プレートが装着されることを特徴とすることにより、短手方向での装着時における表示プレートの表示部の領域が大きいため、表示部での情報量を多くしたり、目立ちやすくできる。また、前記表示プレートの前記目印は、前記ポット収納トレイの短手方向又は長手方向に並ぶ前記仕切部に差し込まれる全てのスリットに設けられたものであることを特徴とすることにより、上記効果に加えて、目印による視覚情報がさらに増えるため、スリットの識別性が向上し、短手方向又は長手方向への装着性が良好となる。
【０００９】
また、上記課題を解決するために、本考案の表示プレート付きポット収納トレイの前記表示プレートの前記目印は、前記ポット収納トレイの短手方向又は長手方向に並ぶ前記仕切部の少なくとも一つに差し込まれるスリットに設けられたものであることを特徴とすることにより、目印を必要最小限としているため、表示プレートに目印を設ける手間が少なく安価な製造が可能となる。また、スリットの間隔は等間隔であることを特徴とすることにより、ポット収納トレイの縦及び横方向の何れにも取り付けることができる。
【００１０】
また、目印はスリットの周縁側に縁取られることを特徴とすることにより、目印がスリットの周縁側に縁取られているため、目印を目視しながら直接的に当該展示方向に適した位置に表示プレートを取り付けられる。
【００１１】
また、スリットの周縁側に縁取られる目印は、前記表示プレートにおける他の表面色とは異なる色であることを特徴とすることにより、目印が異なる色で識別されるため、特に目視する際に目立つため識別機能を高めることができる。
【００１２】
また、目印はスリットの形状の一部を少なくとも変形させることを特徴とすることにより、目印の識別は、その形状の視覚情報に加えて、触覚情報も付与することができる。この結果、表示プレートの取り付け作業をさらに確実なものとすることができる。
【考案を実施するための最良の形態】
【００１３】
以下、本考案の実施の形態につき図面を参照して説明する。図１は表示プレート付きポット収納トレイの長手方向を左右にして展示する横方向展示形態を示す斜視図である。図２は表示プレート付きポット収納トレイを示す長手方向を前後にして展示する縦方向展示形態の斜視図である。図３は表示プレート付きポット収納トレイの縦方向展示形態と横方向展示形態とを示す斜視図である。図１および図２において、表示プレート付きポット収納トレイは、ポット収納トレイ１と表示プレート２で構成されている。
【００１４】
ポット収納トレイ１は、プラスチック製からなり、作業者による移動等を考慮して、充分に可搬し得る程度の寸法（一例として縦×横寸法として３０ｍｍ×６５ｍｍ程度である。）の偏平な長方体状の部材である。このポット収納トレイ１は、複数のポット収納部１ａを備えている。
【００１５】
このポット収納部１ａは植物の苗ポットＰを収納する大きさに区割されている。長方枠状に形成される上部枠１ｂの内方開口部１ｃを、縦及び横方向に等間隔で設けられる仕切部１ｄによって井桁状に区割してポット収納部１ａが方形格子状に整列配設されるように形成されている。
【００１６】
ポット収納トレイ１における井桁状（方形格子状）に区割されるポット収納部１ａとして、本例では、４０個の苗ポットＰを収納するように、縦の列数を「５列」とするための４列の仕切部１ｄと、横の列数を「８列」とするための７列の仕切部１ｄとによって構成されている。
【００１７】
このポット収納部１ａは、苗ポットＰを保持するための底部１ａ１を有し、この底部１ａ１の四方角側から苗ポットＰの外側を囲むように設けられる周壁部１ａ２（仕切部１ｄ）を有している。これらの底部１ａ１及び周壁部１ａ２には、軽量化や通気などを確保するために開口孔１ａ３が形成されている。
【００１８】
表示プレート２は、図４に示すように、シート部材からなり、上方側に植物の種類、用途、性質などの商品情報の表示部２ａと、下方側にポット収納トレイ１に装着するための装着部２ｂを備えている。表示プレート２は矩形板状に形成されるプレート本体２ｃが柔軟性を具有する紙やプラスチック製で形成されている。このプレート本体２ｃの左右の横幅寸法Ｘ２は、図２に示すように、表示プレート２がポット収納トレイ１の短手方向に平行に装着される態様で、ポット収納トレイ１の上部枠１ｂの短手方向における内方開口部１ｃの縦内方寸法Ｙ１と概ね同じ寸法となしている。このことによって、ポット収納トレイ１の短手方向における内方開口部１ｃに対して目一杯の幅（横幅寸法Ｘ２）で表示プレート２が装着可能となる。
【００１９】
表示プレート２の装着部２ｂはポット収納トレイ１の仕切部１ｄの複数のものに差し込まれる複数のスリット２ｂ１を有している。これらのスリット２ｂ１は、仕切部１ｄの間隔より短い間隔で配列、即ち、仕切部１ｄの間隔に対して半分の間隔に設定されて等しく配列（本例では９本）されている。また、スリット２ｂ１の長さは、底部１ａ１から仕切部１ｄの上端までの長さとほぼ同じであり、これにより図１および図２に示すように、表示プレート２はポット収納トレイ１の上方から差し込んで、スリット２ｂ１と仕切部１ｄとを係合させ、表示部２ａがポット収納トレイ１の上方に突出するように、着脱可能に装着することができる。
【００２０】
また、表示プレート２の左右の横幅寸法Ｘ２は、ポット収納トレイ１の縦内方寸法Ｙ１と概ね同じ寸法となし、かつスリット２ｂ１は、仕切部１ｄの間隔に対して半分の間隔で配列されているため、ポット収納トレイ１の縦及び横方向の何れにも取り付けることができる。これによって、表示プレート２は、ポット収納トレイ１の長手方向に平行に装着される態様と短手方向に平行に装着される態様とに兼用のものとなる。
【００２１】
また、これらのスリット２ｂ１には、ポット収納トレイ１の長手方向の仕切部１ｄ、又は短手方向の仕切部１ｄが差し込まれるいずれか一方に、装着時の方向性を識別するための目印３が付与されて設けられている。この目印３としては、例えば、図４に示すように、縦方向における４列の仕切部１ｄと対応する一箇所おきのスリット２ｂ１の周縁側に、他の表示プレート２の表面色とは異なった色３ａで縁取るようにして設けられている。このことによって、ポット収納トレイ１の短手方向に平行に装着される態様において適性装着位置が予め定められることとなる。
【００２２】
このように付与される目印３は、作業者によって簡易に他の個所のスリット２ｂ１と識別可能となすようなものであれば、図５に示すように、ポット収納トレイ１の短手方向又は長手方向に並ぶ仕切部１ｄの少なくとも一つに差し込まれるスリット２ｂ１（例えば、図面上左から２番目）に目印３を設けることも可能である。また、目印３は、色３ａに限定されず、図６に示すように、模様３ｂ（斜線箇所）を設けたり、図７に示すように、このスリット２ｂ１の形状の少なくともその一部を変形、例えば幅を広くした変形部３ｃ（例えば、円形の打ち抜き箇所）を設けたり、図８に示すように、このスリット２ｂ１の長さを、他のものより長くすることもできる。また、目印３の実施の形態はいずれも例示であり、各実施の形態の構成要素を任意に組み合わせることもできる。また、目印３は視覚による識別性を備えたものや、触覚による識別性を備えるものを含んでいる。
【００２３】
次に、本考案における表示プレート付きポット収納トレイの使用について説明する。図３に示すように、このポット収納トレイ１は、その長手方向を左右にして展示する図３の下段側の横方向展示形態にあっては、目印３が付与されていないスリット２ｂ１を長手方向の仕切部１ｄに差し込んで取り付けている。他方で図３の上段側の長手方向を前後にして展示する縦方向展示形態にあっては、目印３が付与されているスリット２ｂ１を短手方向の仕切部１ｄに差し込んで取り付けている。この取り付け時には、視覚情報が増す目印３によって該当するスリット２ｂ１を、確実に直観的に識別することができるため、所定の展示形態（縦もしくは横）に対応する表示プレート２を単一種で済ませることができる。また、目印３が付与されていないスリット２ｂ１を長手方向の仕切部１ｄに差し込んで取り付ける場合には、ポット収納トレイ１の長手方向の中央位置に表示プレート２を容易に装着でき、即ち、図１に示すように、表示プレート２の横幅方向の両外側のスリット２ｂ１が長手方向の仕切部１ｄに差し込まれる箇所となることによって、その両外側のスリット２ｂ１における外側の他の仕切部１ｄの数が同時に確認しやすくなり、表示プレート２をポット収納トレイ１の長手方向の中央位置に装着できることとなり、これによってバランスの取れた展示形態となる。
【００２４】
また、ポット収納トレイ１の縦横の列数における実施の形態は、あくまで例示にすぎず、縦の列数が「奇数列」、横の列数が「偶数列」となるものであれば種々の変更が可能である。また、表示プレート付きポット収納トレイのポット収納トレイ１と表示プレート２を構成する各構成要素は種々の変更が可能であり、これらの構成要素を任意に組み合わせる形で他の例の表示プレート付きポット収納トレイを構成することも可能である。
【図面の簡単な説明】
【００２５】
【図１】本考案に係る表示プレート付きポット収納トレイの長手方向を左右にして展示する横方向展示形態の斜視図。
【図２】本考案に係る表示プレート付きポット収納トレイの長手方向を前後にして展示する縦方向展示形態の斜視図。
【図３】表示プレート付きポット収納トレイの横方向および縦方向展示形態の斜視図。
【図４】表示プレートの斜視図。
【図５】他の例の表示プレートの斜視図。
【図６】他の例の表示プレートの部分斜視図。
【図７】他の例の表示プレートの部分斜視図。
【図８】他の例の表示プレートの部分斜視図。
【符号の説明】
【００２６】
１          ポット収納トレイ
１ａ        ポット収納部
１ｄ        仕切部
２          表示プレート
２ａ        表示部
２ｂ        装着部
２ｂ１      スリット
３          目印
【図１】
0003146232.tif 000003
【図２】
0003146232.tif 000004
【図３】
0003146232.tif 000005
【図４】
0003146232.tif 000006
【図５】
0003146232.tif 000007
【図６】
0003146232.tif 000008
【図７】
0003146232.tif 000009
【図８】
0003146232.tif 000010